(57)【要約】【課題】  像担持体上に形成されたトナー像を中間転写体に転写し、さらに二次転写装置により記録媒体に転写する画像形成装置における、二次転写装置表面の汚れトナーを清掃する二次転写装置清掃装置を提供する。【解決手段】  二次転写ローラ１８には転写バイアス印加制御装置３１ａの制御の下に転写バイアス印加装置３１ｂから転写バイアスが印加され、中間転写ベルト１７と二次転写ローラ１８との間を通過する記録媒体Ｐに中間転写ベルト１７上のトナー像が転写される。二次転写装置清掃装置３０の清掃部材３３は、二次転写ローラ表面の汚れトナー３８を掻き取り、清掃部材３３を構成する発泡セル内部に取り込む。発泡セルに清掃バイアスを印加すると内部の汚れトナー３８は二次転写ローラ１８の表面に排出され、さらに中間転写ベルト１７上に排出され、最後に中間転写ベルトクリーニング装置に回収される。【選択図】  図２
2007304335.tif 000002
【特許請求の範囲】
【請求項１】
像担持体上に形成された画像潜像をトナーで現像し、形成されたトナー像を中間転写体に転写し、中間転写体に転写されたトナー像を二次転写装置により記録媒体に転写する画像形成装置において、
連続気泡構造を有する導電性樹脂発泡体で構成された前記二次転写装置の表面を清掃する二次転写装置清掃装置と、
前記二次転写装置に転写バイアスを印加する転写バイアス印加装置及び転写バイアスを印加するタイミングを制御する転写バイアス印加制御装置と、
前記二次転写装置清掃装置に清掃バイアスを印加する清掃バイアス印加装置及び清掃バイアスを印加するタイミングを制御する清掃バイアス印加制御装置とを備え、
前記清掃バイアス印加制御装置は、像担持体上に形成される２つのトナー像の像間において、前記二次転写装置に印加する転写バイアスとは逆極性の電位の清掃バイアスを二次転写装置清掃装置に印加すること
を特徴とする画像形成装置。
【請求項２】
前記清掃バイアス印加制御装置により清掃バイアスが二次転写装置清掃装置に印加されるとき、前記転写バイアス印加制御装置は二次転写装置に転写バイアスとは逆極性で、前記清掃バイアス電位よりも小さいバイアス電位を印加すること
を特徴とする請求項１に記載の画像形成装置。
【請求項３】
前記二次転写装置は二次転写ローラであって、前記像担持体と二次転写ローラとの転写ニップ部から前記二次転写装置清掃装置までの二次転写ローラの周面長は、像担持体上に形成される２つのトナー像の像間距離よりも短いこと
を特徴とする請求項１に記載の画像形成装置。
【請求項４】
前記二次転写装置清掃装置に印加される清掃バイアスと前記二次転写装置に印加される転写バイアスとは、以下に記載する時間の関係にあること
Ｔ4 ≧Ｔ1 ＋Ｔ3 ・・・・・（１）
Ｔ4 ≦Ｔ2 ・・・・・・・・（２）
但し、Ｔ1 ：清掃バイアス印加時間
Ｔ2 ：像間通過時間
Ｔ3 ：二次転写装置へ排出された汚れトナーが中間転写体に
排出されるまでの時間
Ｔ4 ：転写バイアス印加時間
を特徴とする請求項１に記載の画像形成装置。
【請求項５】
前記清掃バイアスは、連続して実行される複数の画像形成動作が終了する時点で二次転写装置清掃装置に印加されること
を特徴とする請求項１に記載の画像形成装置。
【請求項６】
前記二次転写装置は、芯金の外側に配置された発泡性樹脂層の外表面を離型性の高いコート層で被覆された少なくとも２層以上の樹脂層を備えた二次転写ローラであること
を特徴とする請求項１に記載の画像形成装置。
【発明の詳細な説明】
【技術分野】
【０００１】
この発明は、電子複写機、プリンタ、ファクシミリ装置やその複合機などの画像形成装置の像担持体、特に二次転写ローラ上に付着した汚れトナーなどを清掃するクリーニング装置を備えた電子写真方式の画像形成装置に関する。
【背景技術】
【０００２】
電子写真方式の画像形成装置では、像担持体（感光体）上に形成された画像潜像をトナーで現像し、形成されたトナー像を中間転写ベルト等の中間転写体に転写した後、更に記録媒体に転写し、或いは直接記録媒体に転写し、トナー像が転写された記録媒体を定着処理して画像を形成する工程をとる。
【０００３】
中間転写ベルト等の中間転写体に転写されたトナー像を更に記録媒体に転写するとき使用される二次転写ローラには、像間や記録媒体の外部のかぶりトナーが付着するほかトナーの外添剤や紙粉などが付着し、これらのかぶりトナーやトナーの外添剤、紙粉などが記録媒体の裏面に付着して汚すことがある。以下の説明ではこれらのかぶりトナー等を纏めて、汚れトナーと呼ぶことにする。
【０００４】
二次転写ローラに付着した汚れトナーは高品質の画像形成に支障をきたすので、二次転写ローラの表面から汚れトナーを除去する二次転写ローラの清掃方法が知られているが、二次転写ローラの清掃方法には、以下に記載するような種々の方法がある。
【０００５】
図８は、従来の第１の二次転写ローラの清掃方法を説明する図である。図８において、１０１は図示しない画像形成装置の中間転写ベルトで、駆動ローラ１０２に巻掛けられて駆動される。１０３は二次転写ローラで、その表面には汚れトナー１０８が付着している。二次転写ローラ１０３に、清掃バイアス制御装置１０５の制御の下に清掃バイアス電源１０４から図９に示すような交流波形の清掃バイアス電位を印加すると、二次転写ローラ１０３の表面の汚れトナー１０８は中間転写ベルト１０１の表面に吐き出され、清掃される。中間転写ベルト１０１の表面に吐き出された汚れトナー１０８は、中間転写ベルト１０１のクリーニング装置（図示せず）に回収される。
【０００６】
図１０は、従来の第２の二次転写ローラの清掃方法を説明する図である。図１０において、１０１は図示しない画像形成装置の中間転写ベルトで、駆動ローラ１０２に巻掛けられて駆動される。二次転写ローラ１０３の表面には汚れトナー１０８が付着しているが、二次転写ローラ１０３にはゴム製のクリーニングブレード１０６が押圧され、汚れトナー１０８は機械的に削り取られて清掃される。
【０００７】
図１１は、従来の第３の二次転写ローラの清掃方法を説明する図である。図１１において、１０１は図示しない画像形成装置の中間転写ベルトで、駆動ローラ１０２に巻掛けられて駆動される。二次転写ローラ１０３の表面には汚れトナー１０８が付着しているが、二次転写ローラ１０３にはクリーニングブラシ１０７が押圧され、汚れトナー１０８は機械的に削り取られて清掃される。
【０００８】
図１２は、画像形成装置の二次転写ローラの清掃方法ではなく、従来の画像形成装置の帯電ローラの清掃方法を説明する図である。感光体１１２に接触配置された帯電ローラ１１３に、樹脂発泡体から構成されるクリーニングローラ１１４が接触配置され、帯電ローラ１１３の表面に付着した汚れトナー等はクリーニングローラ１１４に吸着され、清掃される（特許文献１参照）。なお、図１２において、１１５は露光装置、１１６は現像装置、１１７は転写装置、１１８は感光体１１２のクリーニング装置を示す。
【０００９】
クリーニングローラ１１４を構成する樹脂発泡体は、連続気泡構造を有する脆い性質のもので、吸着した汚れトナーと共に樹脂発泡体の表面が剥離し、常に新しい表面で清掃することができるように構成されている（特許文献１参照）。
【００１０】
また、同様に樹脂発泡体から構成されるクリーニングローラで感光体表面をクリーニングする手段も知られている（特許文献２参照）。
【特許文献１】特開２００４−３６１９１６号公報。
【特許文献２】特開２００４−３４１０８５号公報。
【発明の開示】
【発明が解決しようとする課題】
【００１１】
前記した従来の二次転写ローラの清掃方法のうち、第１の清掃方法である二次転写ローラにバイアスを印加する方法では、トナー帯電量が高い場合は汚れトナーの二次転写ローラへの付着力が高く、また、トナー帯電量が低い場合は汚れトナーと逆極性の電圧を印加しても反撥力が小さく、どちらも十分な清掃ができない。
【００１２】
さらに、最近は高精細が画像を形成するため球形化、小径化されたトナーが使用されるようになったが、球形化、小径化されたトナーは付着力が高く、流動性が低い。従来の二次転写ローラの表面は発泡性樹脂層のみで構成されていたが、トナーの球形化、小径化によりクリーニング性能が低下するため、最近は二次転写ローラとして、発泡性樹脂層の上にコート層を形成したコートローラが使用されるようになった。
【００１３】
図１３は、二次転写ローラとして使用されるコートローラ１２０の断面形状を説明する図で、芯金１２１の上に発泡性樹脂層１２２が形成され、その発泡性樹脂層１２２の上に離型性の高いコート層１２３が形成されている。
【００１４】
しかし、コートローラを二次転写ローラとして使用するとき、表面に付着した汚れトナーが十分に清掃されないときは、ローラ表面に汚れトナーの外添剤がフィルム状に形成されて付着するフィルミングの可能性があり、フィルミングした場合は形成される画像に濃度むらが発生する等の画像不良の発生原因となる。
【００１５】
また、前記した第２、第３の清掃方法である機械的清掃方法は、クリーニングブレードやクリーニングブラシを使用するため製造コストが増加するほか、削り取られた汚れトナーを回収する手段が必要で、製造コストが増加するほか、装置が大きくなるという不都合がある。
【００１６】
さらに、図１２を参照して説明した帯電ローラの清掃方法を画像形成装置の二次転写ローラの清掃方法に適用するときは、吸着した汚れトナーと共に樹脂発泡体の表面が剥離するから、剥離物を回収する回収手段が必要で、製造コストが増加するほか、装置が大きくなるという不都合がある。
【００１７】
また、樹脂発泡体を剥離しない発泡体とし、剥離物を回収する回収手段を必要としない構成とした場合は、発泡体内部に吸着保持できる汚れトナーの量には限界があるため、樹脂発泡体の使用可能寿命が短いという不都合がある。
【００１８】
この発明は、上記課題を解決し、大幅なコストの増加がなく比較的低価格で確実に汚れトナーの清掃が可能な二次転写ローラ清掃装置を備えた画像形成装置を提供することにある。
【課題を解決するための手段】
【００１９】
この発明は上記課題を解決するもので、請求項１の発明は、像担持体上に形成された画像潜像をトナーで現像し、形成されたトナー像を中間転写体に転写し、中間転写体に転写されたトナー像を二次転写装置により記録媒体に転写する画像形成装置において、連続気泡構造を有する導電性樹脂発泡体で構成された前記二次転写装置の表面を清掃する二次転写装置清掃装置と、前記二次転写装置に転写バイアスを印加する転写バイアス印加装置及び転写バイアスを印加するタイミングを制御する転写バイアス印加制御装置と、前記二次転写装置清掃装置に清掃バイアスを印加する清掃バイアス印加装置及び清掃バイアスを印加するタイミングを制御する清掃バイアス印加制御装置とを備え、前記清掃バイアス印加制御装置は、像担持体上に形成される２つのトナー像の像間において、前記二次転写装置に印加する転写バイアスとは逆極性の電位の清掃バイアスを二次転写装置清掃装置に印加することを特徴とする画像形成装置である。
【００２０】
そして、前記清掃バイアス印加制御装置により清掃バイアスが二次転写装置清掃装置に印加されるとき、前記転写バイアス印加制御装置は二次転写装置に転写バイアスとは逆極性で、前記清掃バイアス電位よりも小さいバイアス電位を印加する。
【００２１】
また、前記二次転写装置は二次転写ローラであって、前記像担持体と二次転写ローラとの転写ニップ部から前記二次転写装置清掃装置までの二次転写ローラの周面長は、像担持体上に形成される２つのトナー像の像間距離よりも短く設定されるものとする。
【００２２】
そして、前記二次転写装置清掃装置に印加される清掃バイアスと前記二次転写装置に印加される転写バイアスとは、以下に記載する時間の関係にある。
【００２３】
Ｔ4 ≧Ｔ1 ＋Ｔ3 ・・・・・（１）
Ｔ4 ≦Ｔ2 ・・・・・・・・（２）
但し、Ｔ1 ：清掃バイアス印加時間
Ｔ2 ：像間通過時間
Ｔ3 ：二次転写装置へ排出された汚れトナーが中間転写体に
排出されるまでの時間
Ｔ4 ：転写バイアス印加時間。
【００２４】
そして、前記清掃バイアスは、連続して実行される複数の画像形成動作が終了する時点で二次転写装置清掃装置に印加するようにしてもよい。
【００２５】
また、前記二次転写装置は、芯金の外側に配置された発泡性樹脂層の外表面を離型性の高いコート層で被覆された、少なくとも２層以上の樹脂層を備えた二次転写ローラであってもよい。
【発明の効果】
【００２６】
この発明によれば、二次転写転写装置（二次転写ローラ）に付着したトナー、外添剤、紙粉などの汚れトナーは二次転写装置清掃装置を構成する樹脂発泡体（発泡セル）の内部に機械的な力で取り込まれるので、帯電量の大小等電気的特性に関わらず二次転写装置を清掃することができ、記録媒体の裏汚れや二次転写装置のフィルミングによる画像むら等の画像不良の発生することがなく、高品質の画像を形成することができる。
【００２７】
また、この発明の二次転写装置清掃装置を構成する導電性樹脂発泡体は、連続気泡構造を有する導電性樹脂発泡体からなるから、クリーニングブレードやブラシを使用するもののように構成を複雑にすることなく、製造コストを高めることもない。
【００２８】
さらに、この発明の二次転写装置清掃装置は、発泡体表面を剥離させることなく使用されるから、従来のこの種の清掃装置のように剥離物の回収装置を必要としない。また、この発明の二次転写装置清掃装置は、回収した汚れトナーを像間で定期的に二次転写装置を介して中間転写体に排出するので、樹脂発泡体（発泡セル）の汚れトナー回収容量の大きさから二次転写装置清掃装置の寿命が決定されることがなく、長期間にわたり安定して使用することができる。
【発明を実施するための最良の形態】
【００２９】
以下、この発明をタンデム方式のフルカラー画像形成装置に適用した実施の形態について説明する。
【００３０】
図１は、この発明を適用したタンデム方式のフルカラー画像形成装置１０の構成を説明する図で、タンデム方式のフルカラー画像形成装置自体は公知の構成であるから、構成の概要だけを簡単に説明する。
【００３１】
図１において、イエロー（Ｙ）、マゼンタ（Ｍ）、シアン（Ｃ）、および黒（Ｋ）の各色の画像を形成する作像ユニット１１、１２、１３、１４が、駆動ローラ１５および従動ローラ１６の間に架設された中間転写体である中間転写ベルト１７の下に直列に配置され、中間転写ベルト１７は、図示しないモータ及び駆動装置を経て駆動される駆動ローラ１５により矢印ａ方向に一定の速度で移動するように構成されている。
【００３２】
各作像ユニット１１〜１４は、それぞれ像担持体である感光体、帯電装置、露光装置、現像装置、クリーニング装置が配置されている。その構成はこの発明の主題ではないので、ここでは説明を省略する。画像信号処理装置２０には、図示しないスキャナから出力された画像信号、或いはパソコン等から出力された画像信号が入力され、各作像ユニット１１〜１４の露光装置に、形成する画像の色に対応した画像信号が出力される。また、画像信号処理装置２０の下側には給紙装置２１が配置されている。
【００３３】
各作像ユニット１１〜１４には転写装置は備えられておらず、これに代えて中間転写ベルト１７を挟んで作像ユニット１１〜１４と反対側に、一次転写ローラ１１Ｔ、１２Ｔ、１３Ｔ、１４Ｔが配置されている。
【００３４】
また、駆動ローラ１５と対向する位置には中間転写ベルト１７を挟んで二次転写ローラ１８が配置され、中間転写ベルト１７上の従動ローラ１６と対向する位置には中間転写ベルト１７を挟んでクリーニング装置１９が配置されている。
【００３５】
画像形成装置１０の動作を簡単に説明する。電源の投入により中間転写ベルト１７が矢印ａ方向に一定の速度で移動を開始する。画像形成動作が開始され、作像ユニット１１〜１４の感光体上には、それぞれイエロー（Ｙ）、マゼンタ（Ｍ）、シアン（Ｃ）、および黒（Ｋ）の各色のトナー像が形成される。まず、イエロー（Ｙ）のトナー像が一次転写ローラ１１Ｔの作動により中間転写ベルト１７の上に転写され、その上にマゼンタ（Ｍ）のトナー像が一次転写ローラ１２Ｔの作動により重畳転写される。以下、同様にしてシアン（Ｃ）、および黒（Ｋ）の各色のトナー像が順次重畳転写され、フルカラーのトナー像が形成される。
【００３６】
中間転写ベルト１７上に形成されたフルカラーのトナー像が二次転写ローラ１８の位置に到達するタイミングに合わせて、給紙装置２１から記録媒体Ｐが給紙され、二次転写装置である二次転写ローラ１８の作動により中間転写ベルト１７上のフルカラーのトナー像が記録媒体Ｐに転写される。この後、記録媒体Ｐは定着装置２２に搬送され、記録媒体Ｐ上のトナー像は定着処理され、排出される。
【００３７】
中間転写ベルト１７の上には転写残トナーが残るが、次回の画像形成に支障をきたすので、中間転写ベルト１７の表面はクリーニング装置１９により清掃され、転写残トナーが取り除かれる。
【００３８】
また、二次転写ローラ１８の表面には画像形成動作の結果、像間や記録媒体の外部のかぶりトナーがある程度付着するほか、トナーの外添剤や紙粉などの汚れトナーが付着して形成される画像品質に悪影響を及ぼすので、後述する二次転写装置清掃装置３０により二次転写ローラ１８の表面が清掃される。
【００３９】
図２は、上記したフルカラー画像形成装置１０の二次転写ローラ１８の附近の拡大図で、ここには二次転写ローラバイアス印加部３１と、二次転写装置清掃装置３０の転写ローラ清掃部材３３、清掃バイアス印加制御装置３２ａと清掃バイアス印加装置３２ｂが備えられている。
【００４０】
二次転写ローラバイアス印加部３１は、転写バイアス印加制御装置３１ａと、転写バイアス印加装置３１ｂから構成される。二次転写ローラ１８には、バイアスの印加を制御する転写バイアス印加制御装置３１ａの制御の下に、転写バイアス印加装置３１ｂから転写バイアスが印加され、中間転写ベルト１７と二次転写ローラ１８との間を通過する記録媒体Ｐに中間転写ベルト１７上のフルカラーのトナー像が転写される。
【００４１】
二次転写ローラ１８は、先に図１３を参照して説明したコートローラと同じ構成のコートローラで、芯金の上に発泡性樹脂層が形成され、その発泡性樹脂層の上に離型性の高いコート層が形成されている。
【００４２】
コートローラの抵抗値は、発泡性樹脂層及びコート層を含めて１Ｅ６〜８Ω程度、コート層の厚みは０．５〜２ｍｍ程度、コート層の離型性は中間転写ベルトよりも高い必要がある。離型性を示す数値として使用されている純水の接触角（表面の濡れ易さを示す指標）で示せば、中間転写ベルト表面の純水の接触角（表面の濡れ易さを示す指標）が８０〜９０度の場合には、二次転写ローラコート層表面の純水の接触角は１００〜１３０度が望ましい。
【００４３】
二次転写装置清掃装置３０は転写ローラ清掃部材３３に清掃バイアス印加制御装置３２ａと清掃バイアス印加装置３２ｂが付設されている。
【００４４】
転写ローラ清掃部材３３は連続気泡構造を有する導電性樹脂発泡体で構成される。導電性樹脂発泡体の材料は、ポリウレタン、ポリエチレン、ニトリルゴム（ＮＢＲ）等で、カーボンが分散されている。転写ローラ清掃部材３３の抵抗値は１Ｅ５Ω以上が望ましい。また、転写ローラ清掃部材は二次転写ローラに０．５ｍｍ以上食い込ませて使用するものとする。
【００４５】
中間転写ベルトと二次転写ローラとの転写ニップ部から転写ローラ清掃部材までの二次転写ローラ周面上の距離は、中間転写ベルト上に形成される２つのトナー像の間の距離（像間距離）よりも小さくなるように配置するとよい。
【００４６】
なお、転写ローラ清掃部材を構成する導電性樹脂発泡体の材料、物性、形状、圧接条件等は上記例に限定されるものではなく、状況に応じて適宜変更することができる。
【００４７】
前記したとおり、転写ローラ清掃装置３０では、二次転写ローラ１８の表面に付着した汚れトナー３８を転写ローラ清掃部材３３に吸着させて清掃するが、吸着された汚れトナー３８は画像形成を行わない期間に中間転写ベルト１８上に排出し、中間転写ベルトのクリーニング装置に回収させるように構成されている。
【００４８】
以下、転写ローラ清掃部材３３に吸着された汚れトナー３８を中間転写ベルト１８に排出する動作タイミングについて説明する。作動タイミングには複数の実施例がある。
【００４９】
［作動タイミングの第１実施例］
図３は、転写ローラ清掃部材３３に吸着された汚れトナー３８を中間転写ベルト１８に排出する動作タイミングの第１実施例を説明するタイミングチャートである。
【００５０】
前記したとおり、転写ローラ清掃部材（以下、清掃部材）３３は、二次転写ローラ１８の表面に付着した汚れトナー３８を掻き取り、清掃部材３３を構成する導電性樹脂発泡体に吸着、即ち発泡体を構成する発泡セル内部に取り込む。図４は、発泡セル内部に汚れトナーを取り込む様子を説明する図で、二次転写ローラ１８の表面の汚れトナー３８は発泡セルに機械的に取り込まれる。また、図５は、発泡セル内部に取り込まれた汚れトナー３８が排出される様子を説明する図で、発泡セルに電圧を印加すると、取り込まれた汚れトナー３８が二次転写ローラ１８の表面に排出される。
【００５１】
図３のタイミングチャートを参照して動作タイミングを説明する。まず、時点ｔ0 で二次転写ローラ１８に転写バイアスＶ3 を印加する。中間転写ベルト１７上のフルカラートナー像は記録媒体Ｐに転写される。
【００５２】
中間転写ベルト１７上にトナー像が形成されていない像間、或い画像形成動作の終了となる時点ｔ1 で、清掃部材３３に転写バイアスＶ3 とは逆極性の清掃バイアスＶ1 を印加する。清掃部材３３の発泡セルに取り込まれた汚れトナー３８は二次転写ローラ１８の表面に排出される。さらに、二次転写ローラの転写バイアスＶ3 をＶ2 に低下させると、二次転写ローラ１８の表面に排出された汚れトナー３８は、中間転写ベルト１７上に排出される。
【００５３】
ここで、バイアスＶ1 とバイアスＶ2 とは、以下の関係に設定する
Ｖ1 ＞Ｖ2
但し、Ｖ1 ：清掃部材印加バイアス
Ｖ2 ：二次転写ローラ印加バイアス。
【００５４】
バイアスＶ1 をバイアスＶ2 より大きくすることで、二次転写ローラ清掃部材３３から二次転写ローラ１８、中間転写ベルト１７へと電位差を順に築くことができ、汚れトナー３８を上記電位差の順に移動させることができる。バイアスＶ1 とバイアスＶ2 とが等しいとき、或いはバイアスＶ2 の方が電位が高いときは、汚れトナーを中間転写ベルト１７へ排出できない。なお、バイアスＶ1 とバイアスＶ2 とは、Ｖ1 ＞Ｖ2 の関係が維持できる限り、電位の設定は装置の構成により適宜に行うことができる。
【００５５】
図３のタイミングチャートにおいて、Ｔ1 は、清掃部材３３にバイアスＶ1 を印加する時間、即ち、発泡セルに取り込まれた汚れトナー３８を二次転写ローラ１８の表面に排出する時間である。Ｔ2 は、中間転写ベルト１７と二次転写ローラ１８とのニップ部を像間（トナー像が形成されていない部分）が通過する時間である。像間通過時間Ｔ2 は、
Ｔ2 ＝（像間距離）／（中間転写ベルト搬送速度）    で定義される。
【００５６】
Ｔ3 は、二次転写ローラ１８に排出された汚れトナー３８が中間転写ベルト１７上に排出されるまでの時間である。排出時間Ｔ3 は、
Ｔ3 ＝（二次転写ローラニップ部と清掃部材の距離）／（二次転写ローラ周速度）
で定義される。
【００５７】
Ｔ4 は、二次転写ローラ１８にバイアスＶ2 を印加する時間、即ち、二次転写ローラ１８の表面に排出された汚れトナー３８を中間転写ベルト１７に排出する時間である。
【００５８】
ここで、Ｔ1 、Ｔ2 、Ｔ3 、Ｔ4 の間には、以下の関係がある。
【００５９】
Ｔ4 ≧Ｔ1 ＋Ｔ3 、    Ｔ4 ≦Ｔ2
但し、Ｔ1 ：清掃部材に印加するバイアスＶ1 の印加時間
Ｔ2 ：像間通過時間
Ｔ3 ：二次転写ローラに排出された汚れトナーが中間転写ベルトに
排出されるまでの時間
Ｔ4 ：二次転写ローラに印加するバイアスＶ2 の印加時間
二次転写ローラ１８に印加するバイアスＶ2 の印加時間Ｔ4 が、清掃部材に印加するバイアスＶ1 の印加時間Ｔ1 と像間通過時間Ｔ2 の和よりも小さい場合、二次転写ローラ１８上に排出された汚れトナー３８が中間転写ベルト１７へ全て排出されないため、二次転写ローラ上に汚れトナーが残り、記録媒体の裏汚れが生じる。
【００６０】
また、二次転写ローラに印加するバイアスＶ2 の印加時間Ｔ4 が像間通過時間Ｔ2 よりも小さいシーケンスは通常の画像形成動作時の二次転写バイアスと重複し、あり得ないシーケンスとなる。
【００６１】
なお、Ｔ1 、Ｔ2 、Ｔ3 、Ｔ4 の値は装置の構成に応じて適宜変更してもよい。
【００６２】
［作動タイミングの第２実施例］
図６は、転写ローラ清掃部材３３に吸着された汚れトナー３８を中間転写ベルト１７に排出する動作タイミングの第２実施例を説明するタイミングチャートである。
【００６３】
第２実施例は、所定の画像形成枚数毎に清掃部材から汚れトナー３８を中間転写ベルト１７へ排出する実施例で、清掃部材に吸着された汚れトナーの吸着量が大きい場合、全ての像間で汚れトナーを排出することなく所定の画像形成枚数毎に清掃部材を排出する例である。即ち、所定枚数の画像形成が終了した時点で、二次転写ローラ上の汚れトナーを中間転写ベルト１７へ排出するよう清掃部材３３に清掃バイアスを印加する。清掃部材に吸着された汚れトナーの吸着量が大きい場合に適した処理である。
【００６４】
［作動タイミングの第３実施例］
図７は、転写ローラ清掃部材３３に吸着された汚れトナー３８を中間転写ベルト１７に排出する動作タイミングの第３実施例を説明するタイミングチャートである。
【００６５】
第３実施例は、画像形成動作の終了時に清掃部材から汚れトナーを中間転写ベルト１７へ排出する実施例で、清掃部材に吸着された汚れトナーの吸着量が大きい場合、画像形成動作の終了時に纏めて汚れトナーを排出する例である。即ち、画像形成が終了した時点で、二次転写ローラ上の汚れトナーを中間転写ベルト１７へ排出するよう清掃部材３３に清掃バイアスを印加する。清掃部材に吸着された汚れトナーの吸着量が大きい場合に適した処理である。
【００６６】
以上説明した清掃部材に吸着された汚れトナーの排出作動では、トナーの極性がマイナス極性であるものとしてバイアス電位の極性を説明したが、トナーの極性がプラス極性であるときは、これと同様の考え方でバイアス電位の極性を設定すればよい。
【産業上の利用可能性】
【００６７】
像担持体上に形成されたトナー像を中間転写体に転写し、さらに二次転写装置により記録媒体に転写する画像形成装置であって、二次転写装置の表面に付着した汚れトナーを清掃する二次転写装置清掃装置の構成を示す。
【図面の簡単な説明】
【００６８】
【図１】この発明を適用したタンデム方式のフルカラー画像形成装置の構成を説明する図。
【図２】フルカラー画像形成装置の二次転写ローラの附近の拡大図。
【図３】転写ローラ清掃部材に吸着された汚れトナーを中間転写ベルトに排出する動作タイミングの第１実施例を説明するタイミングチャート。
【図４】発泡セル内部に汚れトナーを取り込む様子を説明する図。
【図５】発泡セル内部に取り込まれた汚れトナーが排出される様子を説明する図。
【図６】転写ローラ清掃部材に吸着された汚れトナーを中間転写ベルトに排出する動作タイミングの第２実施例を説明するタイミングチャート。
【図７】転写ローラ清掃部材に吸着された汚れトナーを中間転写ベルトに排出する動作タイミングの第３実施例を説明するタイミングチャート。
【図８】従来の第１の二次転写ローラの清掃方法を説明する図。
【図９】図８に示す二次転写ローラの清掃方法において二次転写ローラに印加するバイアス波形を説明する図。
【図１０】従来の第２の二次転写ローラの清掃方法を説明する図。
【図１１】従来の第３の二次転写ローラの清掃方法を説明する図。
【図１２】従来の画像形成装置の帯電ローラの清掃方法を説明する図。
【図１３】二次転写ローラとして使用されるコートローラの断面形状を説明する図。
【符号の説明】
【００６９】
１０  フルカラー画像形成装置
１１、１２、１３、１４  作像ユニット
１１Ｔ、１２Ｔ、１３Ｔ、１４Ｔ  一次転写ローラ
１５  駆動ローラ
１６  従動ローラ
１７  中間転写ベルト
１８  二次転写ローラ
１９  クリーニング装置
２０  画像信号処理装置
２１  給紙装置
２２  定着装置
３０  二次転写装置清掃装置
３１  二次転写ローラバイアス印加部
３１ａ  二次転写ローラ転写バイアス印加制御装置
３１ｂ  二次転写ローラ転写バイアス印加装置
３２  二次転写ローラ清掃部
３２ａ  清掃バイアス印加制御装置
３２ｂ  清掃バイアス印加装置
３３  転写ローラ清掃部材（清掃部材）
【図１】
2007304335.tif 000003
【図２】
2007304335.tif 000004
【図３】
2007304335.tif 000005
【図４】
2007304335.tif 000006
【図５】
2007304335.tif 000007
【図６】
2007304335.tif 000008
【図７】
2007304335.tif 000009
【図８】
2007304335.tif 000010
【図９】
2007304335.tif 000011
【図１０】
2007304335.tif 000012
【図１１】
2007304335.tif 000013
【図１２】
2007304335.tif 000014
【図１３】
2007304335.tif 000015